(57)【要約】【課題】紙幣認識の判定基準に関する工夫により紙幣の運用効率を向上する。【解決手段】紙幣を収納する紙幣収納部と、前記紙幣収納部から繰り出された紙幣が正常であるか否かを判定基準に従って認識する紙幣認識部と、を備え、前記紙幣認識部は、前記紙幣収納部に関する設定情報に基づき、前記判定基準として用いる基準を決定する、紙幣処理装置。【選択図】図３
2018092537.tif 000002
【特許請求の範囲】
【請求項１】
紙幣を収納する紙幣収納部と、
前記紙幣収納部から繰り出された紙幣が正常であるか否かを判定基準に従って認識する紙幣認識部と、
を備え、
前記紙幣認識部は、前記紙幣収納部に関する設定情報に基づき、前記判定基準として用いる基準を決定する、紙幣処理装置。
【請求項２】
前記紙幣処理装置は、
前記紙幣認識部により正常であると認識された紙幣のみが前記紙幣収納部に収納されている場合には前記紙幣収納部に関して第１の設定情報を設定し、前記紙幣認識部により正常であると認識された紙幣でない紙幣が前記紙幣収納部に収納されている可能性がある場合には第２の設定情報を設定する、制御部をさらに備え、
前記第１の設定情報に対応する判定基準は、前記第２の設定情報に対応する判定基準よりも、紙幣が正常であると認識され易い基準である、請求項１に記載の紙幣処理装置。
【請求項３】
前記制御部は、前記紙幣収納部に紙幣が収納されていないことの検出に基づき前記紙幣収納部に関して第１の設定情報を設定する、請求項２に記載の紙幣処理装置。
【請求項４】
前記紙幣処理装置は、複数の前記紙幣収納部を備え、
前記制御部は、前記複数の紙幣収納部の各々について前記設定情報を設定する、請求項２または３に記載の紙幣処理装置。
【請求項５】
出金処理または回収処理が行われる際に、前記紙幣収納部から紙幣が繰り出され、繰出された紙幣が前記紙幣認識部へ搬送される、請求項１〜４のいずれか一項に記載の紙幣処理装置。
【請求項６】
回収処理における前記第１の設定情報に対応する判定基準は、出金処理における前記第１の設定情報に対応する判定基準よりも、紙幣が正常であると認識され易い基準である、請求項２に記載の紙幣処理装置。
【請求項７】
前記紙幣処理装置は、紙幣が投入される紙幣投入部をさらに備え、
入金処理または補充処理が行われる際、前記紙幣投入部に投入された紙幣を前記紙幣認識部が認識し、前記紙幣認識部により正常であると認識された紙幣が前記紙幣収納部に収納され、
前記紙幣認識部は、前記入金処理が行われる際には、前記第２の設定情報に対応する判定基準を用いる、請求項２に記載の紙幣処理装置。
【請求項８】
前記制御部は、前記紙幣処理装置の運用開始時に、前記紙幣収納部に紙幣が収納されている場合、前記紙幣収納部に関して第２の設定情報を設定する、請求項２に記載の紙幣処理装置。
【請求項９】
前記制御部は、前記紙幣処理装置の運用開始時に、前記紙幣収納部に紙幣が収納されていない場合、前記紙幣収納部に関して第１の設定情報を設定する、請求項２または８に記載の紙幣処理装置。
【請求項１０】
前記紙幣処理装置の運用開始後に前記紙幣収納部へのアクセスが検知され、かつ、当該アクセスにより前記紙幣収納部が資金装填された新たな紙幣収納部に交換された場合、前記制御部は、前記新たな紙幣収納部に関して第２の設定情報を設定する、請求項２に記載の紙幣処理装置。
【発明の詳細な説明】
【技術分野】
【０００１】
本発明は、紙幣処理装置に関する。
【背景技術】
【０００２】
近年、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。多くの自動取引装置には、顧客操作の検出機能と表示機能を兼ね備える操作表示部が実装されており、自動取引装置は、取引画面において顧客により行われる操作を操作表示部により検出し、預入、振込および残高照会などの取引を行うことができる。
【０００３】
自動取引装置は、紙幣の金種、正損、および真偽などを認識する紙幣認識部を備える。紙幣認識部は、正損の判定基準、および真偽の判定基準と、紙幣の状態との比較により、紙幣の正損および真偽などを認識することができる。特許文献１には、上記の判定基準を、各紙幣の処理目的に応じて調整する技術が開示されている。例えば、真偽の判定基準が高くなると偽装券がより確実にリジェクトされ、正損の判定基準が高くなると品質の悪い紙幣がリジェクトされ易くなる。
【先行技術文献】
【特許文献】
【０００４】
【特許文献１】特開平１−１９６６９０号公報
【発明の概要】
【発明が解決しようとする課題】
【０００５】
しかし、処理目的に応じて判定基準を調整する技術では、紙幣の運用効率が低くなる場合があった。例えば、真偽の判定基準が高くなると正常な紙幣がリジェクトされる割合が高くなり、正損の判定基準が高くなると品質がさほど悪くない紙幣もリジェクトされる割合が高くなってしまう。
【０００６】
そこで、本発明は、上記問題に鑑みてなされたものであり、本発明の目的とするところは、紙幣認識の判定基準に関する工夫により紙幣の運用効率を向上することが可能な、新規かつ改良された紙幣処理装置を提供することにある。
【課題を解決するための手段】
【０００７】
上記課題を解決するために、本発明のある観点によれば、紙幣を収納する紙幣収納部と、前記紙幣収納部から繰り出された紙幣が正常であるか否かを判定基準に従って認識する紙幣認識部と、を備え、前記紙幣認識部は、前記紙幣収納部に関する設定情報に基づき、前記判定基準として用いる基準を決定する、紙幣処理装置が提供される。
【０００８】
前記紙幣処理装置は、前記紙幣認識部により正常であると認識された紙幣のみが前記紙幣収納部に収納されている場合には前記紙幣収納部に関して第１の設定情報を設定し、前記紙幣認識部により正常であると認識された紙幣でない紙幣が前記紙幣収納部に収納されている可能性がある場合には第２の設定情報を設定する、制御部をさらに備え、前記第１の設定情報に対応する判定基準は、前記第２の設定情報に対応する判定基準よりも、紙幣が正常であると認識され易い基準であってもよい。
【０００９】
前記制御部は、前記紙幣収納部に紙幣が収納されていないことの検出に基づき前記紙幣収納部に関して第１の設定情報を設定してもよい。
【００１０】
前記紙幣処理装置は、複数の前記紙幣収納部を備え、前記制御部は、前記複数の紙幣収納部の各々について前記設定情報を設定してもよい。
【００１１】
出金処理または回収処理が行われる際に、前記紙幣収納部から紙幣が繰り出され、繰出された紙幣が前記紙幣認識部へ搬送されてもよい。
【００１２】
回収処理における前記第１の設定情報に対応する判定基準は、出金処理における前記第１の設定情報に対応する判定基準よりも、紙幣が正常であると認識され易い基準であってもよい。
【００１３】
前記紙幣処理装置は、紙幣が投入される紙幣投入部をさらに備え、入金処理または補充処理が行われる際、前記紙幣投入部に投入された紙幣を前記紙幣認識部が認識し、前記紙幣認識部により正常であると認識された紙幣が前記紙幣収納部に収納され、前記紙幣認識部は、前記入金処理が行われる際には、前記第２の設定情報に対応する判定基準を用いてもよい。
【００１４】
前記制御部は、前記紙幣処理装置の運用開始時に、前記紙幣収納部に紙幣が収納されている場合、前記紙幣収納部に関して第２の設定情報を設定してもよい。
【００１５】
前記制御部は、前記紙幣処理装置の運用開始時に、前記紙幣収納部に紙幣が収納されていない場合、前記紙幣収納部に関して第１の設定情報を設定してもよい。
【００１６】
前記紙幣処理装置の運用開始後に前記紙幣収納部へのアクセスが検知され、かつ、当該アクセスにより前記紙幣収納部が資金装填された新たな紙幣収納部に交換された場合、前記制御部は、前記新たな紙幣収納部に関して第２の設定情報を設定してもよい。
【発明の効果】
【００１７】
以上説明したように本発明によれば、紙幣認識の判定基準に関する工夫により紙幣の運用効率を向上することが可能である。
【図面の簡単な説明】
【００１８】
【図１】自動取引システム１の構成を示す説明図である。
【図２】自動取引装置２０の内部構成を示す説明図である。
【図３】紙幣入出金部２３０の内部構成を示す説明図である。
【図４】アクセスフラグの管理の具体例を示す説明図である。
【図５】入金処理および補充処理の動作を示すフローチャートである。
【図６】出金処理の動作を示すフローチャートである。
【図７】回収処理の動作を示すフローチャートである。
【発明を実施するための形態】
【００１９】
以下に添付図面を参照しながら、本発明の実施の形態について詳細に説明する。なお、本明細書及び図面において、実質的に同一の機能構成を有する構成要素については、同一の符号を付することにより重複説明を省略する。
【００２０】
また、本明細書及び図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００２１】
＜０．自動取引システムの概要＞
本発明の実施形態は、自動取引システムに関し、特に、自動取引装置に含まれる自動取引装置に関する。以下では、本発明の実施形態による自動取引システムの概要を説明した後に、自動取引装置の構成および動作を順次詳細に説明する。
【００２２】
図１は、自動取引システム１の構成を示す説明図である。図１に示したように、自動取引システム１は、金融機関ホスト１０、専用網１２および複数の自動取引装置２０を備える。
【００２３】
自動取引装置２０は、金融機関の顧客による操作に基づいて金銭の取引を実行する顧客操作型端末である。この自動取引装置２０は、金融機関の営業店、コンビニエンスストア、駅構内、ホテル、ショッピングセンター、病院、アミューズメントパーク、飲食店、オフィスビルディングなどの多様な施設に設置される。
【００２４】
また、自動取引装置２０は、操作表示部２２、通帳挿入口２４、カード挿入排出口２６、レシート排出口２７、紙幣口２８および硬貨口２９を備える。
【００２５】
操作表示部２２は、顧客による操作の誘導画面を表示する表示機能および顧客による操作を検出する操作検出機能を兼ね備える。表示機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作検出機能は例えばタッチパネルにより実現される。なお、図１においては表示機能および操作検出機能が自動取引装置２０において一体的に構成される例を示しているが、表示機能および操作検出機能は分離して構成されてもよい。
【００２６】
通帳挿入口２４は顧客の通帳を挿入および排出するための開口部である。カード挿入排出口２６は、顧客の磁気カードを挿入および排出するための開口部である。また、レシート排出口２７は、取引の明細情報が印字されたレシートを排出するための開口部である。紙幣口２８は、顧客による紙幣の入金口、および顧客への紙幣の出金口としての機能を有する。硬貨口２９は、顧客による硬貨の入金口、および顧客への硬貨の出金口としての機能を有する。
【００２７】
専用網１２は、金融機関のネットワークであり、例えばＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）により構成される。金融機関ホスト１０は、この専用網１２を介して自動取引装置２０と通信することができる。
【００２８】
金融機関ホスト１０は、専用網１２を介して自動取引装置２０と通信することにより、各種取引を制御する。例えば、金融機関ホスト１０は、自動取引装置２０を操作する顧客の認証を行ったり、自動取引装置２０において顧客により指示された預入や振込などの金銭取引（勘定の取引処理）を実行したりする。なお、金融機関ホスト１０は、口座番号、暗証番号、氏名、住所、年齢、生年月日、電話番号、職業、家族構成、年収および預金残高などの顧客情報（口座の元帳）が格納されたデータベースを有し得る。
【００２９】
＜１．自動取引装置の内部構成＞
以上、本発明の実施形態による自動取引システム１の概要を説明した。続いて、自動取引システム１に含まれる自動取引装置２０の内部構成を説明する。なお、自動取引装置２０は、紙幣の処理機能を有する紙幣処理装置の一例である。
【００３０】
（全体構成）
図２は、自動取引装置２０の内部構成を示す説明図である。図２に示したように、自動取引装置２０は、操作表示部２２と、スピーカ２５と、インタフェース部２１０と、カード読取部２２０と、紙幣入出金部２３０と、硬貨入出金部２４０と、通帳記帳部２５０と、レシート印字部２６０と、記憶部２７０と、制御部２８０と、を備える。
【００３１】
操作表示部２２は、図１を参照して説明したように、顧客による操作の誘導画面を表示する表示機能および顧客による操作を検出する操作検出機能を兼ね備える。なお、操作検出機能を実現する方式は、抵抗膜方式または赤外線方式であってもよい。
【００３２】
スピーカ２５は、顧客に操作を案内する音声、およびビープ音などを出力する。例えば、スピーカ２５は、磁気カードの挿入を案内する音声、出金された紙幣、排出された磁気カードおよびレシートなどの取り忘れを防ぐためのビープ音などを出力する。
【００３３】
インタフェース部２１０は、専用網１２を介して金融機関ホスト１０と各種情報を送受信する。例えば、インタフェース部２１０は、顧客の磁気カードなどから読み取られた口座番号を示す情報を金融機関ホスト１０に送信し、当該口座番号に対応する顧客の情報を金融機関ホスト１０から受信する。また、インタフェース部２１０は、取引を実行するための情報（取引種別、取引金額など）を金融機関ホスト１０と通信する。
【００３４】
カード読取部２２０は、カード挿入排出口２６から挿入された顧客の磁気カードに記録された磁気情報を読み取る。磁気情報は、例えば、口座番号および口座種別などを示す情報を含んでもよい。
【００３５】
紙幣入出金部２３０は、紙幣の搬送路、紙幣カセットおよび紙幣の正当性を認識する紙幣認識部などを有する。入金時に紙幣口２８に投入された紙幣は、後述する接客部に集積され、搬送路を介して紙幣認識部へ搬送され、紙幣認識部により正常な認識結果が得られた場合、金種に応じた紙幣カセットに搬送される。また、出金時には、紙幣カセットから紙幣が分離され、紙幣認識部が分離された紙幣を認識し、正常な認識結果が得られた場合に接客部に紙幣が搬送される。
【００３６】
硬貨入出金部２４０は、硬貨の搬送路、硬貨カセットおよび硬貨の正当性を認識する硬貨認識部などを有する。入金時に硬貨口２９に投入された硬貨は、搬送路を介して硬貨認識部へ搬送され、硬貨認識部により正常な認識結果が得られた場合、金種に応じた硬貨カセットに搬送される。また、出金時には、硬貨カセットから硬貨が繰り出され、硬貨認識部が硬貨カセットから繰り出された硬貨を認識し、正常な認識結果が得られた場合に硬貨口２９に硬貨が搬送される。なお、上記では、紙幣口２８と硬貨口２９が別個に設けられる例を説明したが、紙幣の投入口と硬貨の投入口は同一であってもよい。
【００３７】
通帳記帳部２５０は、磁気ヘッド、ページ送り部および印字部などを含み、通帳挿入口２４から挿入された通帳に記帳を行う。例えば、通帳挿入口２４から通帳が挿入されると、通帳のカバー紙に形成された磁気ストライプから磁気ヘッドが磁気情報を読み出す。また、ページ送り部が通帳の記入ページを開き、印字部が通帳の記入ページに取引情報を印字する。
【００３８】
レシート印字部２６０は、レシートロール、サーマルヘッドおよびカッタなどを含み、取引の明細情報が印字されたレシートを作成する。例えば、顧客の指定した取引が実行されると、レシートロールから分離された連続紙にサーマルヘッドが取引の明細情報を印字し、明細情報が印字された領域をカッタが連続紙から切り離すことにより、レシートが作成される。
【００３９】
記憶部２７０は、自動取引装置２０の動作のために用いられる各種情報を記憶する記憶媒体であり、ハードディスクまたはメモリにより構成される。例えば、記憶部２７０は、制御部２８０が操作表示部２２、インタフェース部２１０、カード読取部２２０、紙幣入出金部２３０、硬貨入出金部２４０、通帳記帳部２５０、およびレシート印字部２６０などを制御するためのプログラムを記憶する。
【００４０】
制御部２８０は、自動取引装置２０の動作全般を制御する。例えば、制御部２８０は、操作表示部２２、スピーカ２５、インタフェース部２１０、カード読取部２２０、紙幣入出金部２３０、硬貨入出金部２４０、通帳記帳部２５０、およびレシート印字部２６０の各々の動作を制御する。
【００４１】
（紙幣入出金部の内部構成）
以上、図２を参照して、自動取引装置２０の全体構成を説明した。本発明の実施形態は、当該自動取引装置２０が有する紙幣入出金部２３０に特に関する。そこで、図３を参照し、紙幣入出金部２３０の内部構成を説明する。
【００４２】
図３は、紙幣入出金部２３０の内部構成を示す説明図である。図３に示したように、紙幣入出金部２３０は、接客部４０と、紙幣認識部４２と、一時保留部４４と、搬送路４６と、リジェクト部４８と、紙幣カセット５０Ａ〜５０Ｅと、を備える。
【００４３】
接客部４０は、入金処理時、紙幣口２８を介して顧客により投入された紙幣を集積し、集積した紙幣を一枚ずつ分離して繰出す。また、出金処理時には、紙幣カセット５０から搬送された紙幣を接客部４０が集積する。
【００４４】
紙幣認識部４２は、紙幣認識部４２に搬送された紙幣の認識を行う。例えば、紙幣認識部４２は、紙幣の金種、正損および真偽などを認識する。紙幣の正損の認識は、紙幣が正券であるか損券であるかの認識である。汚れの程度が判定基準を上回る紙幣が損券と認識され、汚れの程度が判定基準以下である紙幣が正券と認識される。また、紙幣の真偽の認識は、紙幣が真券であるか偽造券であるかの認識である。真券である確からしさが判定基準を上回る紙幣が真券と認識され、真券である確からしさが判定基準以下である紙幣が偽造券と認識される。
【００４５】
一時保留部４４は、入金処理時に紙幣認識部４２により正常な紙幣であると認識された紙幣を一時保留する。一時保留部４４に一時保留された紙幣は、顧客により入金額の確認操作が行われた後、紙幣カセット５０に搬送される。
【００４６】
搬送路４６は、紙幣入出金部２３０内の各構成の間で紙幣が移動するための移動経路を形成する。
【００４７】
リジェクト部４８は、入金処理および出金処理などの処理において紙幣認識部４２により正常でない紙幣であると認識された紙幣を収納する。
【００４８】
紙幣カセット５０Ａ〜５０Ｅは、紙幣収納部の一例であり、紙幣の収納機能および紙幣の繰出し機能を有する。例えば、入金処理時には、紙幣認識部４２により正常な紙幣であると認識された紙幣が一時保留部４４から紙幣カセット５０へ搬送され、紙幣カセット５０は当該紙幣を収納する。また、紙幣カセット５０は、出金処理時には、紙幣カセット５０に収納されている紙幣を１枚ずつ指定枚数に達するまで搬送路４６に繰り出す。当該紙幣カセット５０には、接客部４０からの紙幣の取り込みにより紙幣を補充することも、紙幣カセット５０の交換または紙幣カセット５０への紙幣の装填によっても紙幣を補充することも可能である。
【００４９】
なお、図３では図面の明瞭性の観点から記載が省略されているが、紙幣入出金部２３０は、各位置における紙幣の有無を検出するための複数のセンサ、紙幣の搬送、分離または繰出しのためのモータなどを有する。
【００５０】
（アクセスフラグの管理）
上述した制御部２８０は、各紙幣カセット５０について、アクセスフラグと呼ばれる設定情報を設定する。アクセスフラグは、各紙幣カセット５０に、正損および真偽などに関する品質が不確かな紙幣が含まれている可能性の有無を示す指標である。ここで、紙幣認識部４２による所定の判定基準に従った認識において正常と認識された紙幣は品質が担保された紙幣であり、紙幣認識部４２による上記認識が行われていない紙幣は品質が不確かな紙幣である。このため、アクセスフラグは、各紙幣カセット５０に、紙幣認識部４２による上記認識が行われていない紙幣が含まれるか否かを示す指標であってもよい。
【００５１】
本実施形態において、制御部２８０は、紙幣認識部４２により正常であると認識された紙幣のみが紙幣カセット５０に収納されている場合には、当該紙幣カセット５０のアクセスフラグを「１」（第１の設定情報）に設定する。一方、制御部２８０は、紙幣認識部４２により正常であると認識された紙幣でない紙幣が紙幣カセット５０に収納されている可能性がある場合には、当該紙幣カセット５０のアクセスフラグを「０」（第２の設定情報）に設定する。以下、図４を参照し、このようなアクセスフラグの制御部２８０による管理の具体例を説明する。
【００５２】
図４は、アクセスフラグの管理の具体例を示す説明図である。制御部２８０は、図４を参照して説明するアクセスフラグの管理を、紙幣カセット５０ごとに行う。
【００５３】
まず、自動取引装置２０の運用が開始されると、制御部２８０は、紙幣カセット５０における紙幣の有無を確認する（Ｓ３１０）。そして、制御部２８０は、紙幣カセット５０に紙幣がある場合、紙幣カセット５０のアクセスフラグを「０」に設定する（Ｓ３２０）。一方、制御部２８０は、紙幣カセット５０に紙幣が無い場合、紙幣カセット５０のアクセスフラグを「１」に設定する（Ｓ３３０）。紙幣カセット５０にアクセスフラグ「０」が設定された場合、紙幣カセット５０から紙幣が無くなるまで、アクセスフラグ「０」が維持される。なお、実際には最初に一律的にアクセスフラグ「０」が設定された後に、紙幣カセット５０に紙幣が無ければ、アクセスフラグが「１」に変更されてもよい。
【００５４】
ここで、運用の開始は、自動取引装置２０の内部状態が不明な状態で自動取引装置２０の使用が開始されることである。例えば、運用の開始は、自動取引装置２０が納入された後の最初の使用開始であってもよい。または、運用の開始は、自動取引装置２０の電源ＯＦＦにより自動取引装置２０の内部状態の管理（アクセスフラグの管理を含む）がリセットされた後に、自動取引装置２０の電源ＯＮにより自動取引装置２０の利用が開始されることであってもよい。
【００５５】
運用の開始時に紙幣カセット５０に紙幣がある場合、紙幣カセット５０にどのような紙幣が収納されているかを制御部２８０が判断することは困難である。すなわち、紙幣カセット５０が紙幣認識部４２による認識が行われた紙幣のみを収納しているのか、紙幣カセット５０が直接装填された紙幣を収納しているのか、制御部２８０が判断することは困難である。従って、制御部２８０は、Ｓ３２０およびＳ３３０に示したように、運用の開始時に紙幣カセット５０に紙幣がない場合にはアクセスフラグ「１」を設定し、運用の開始時に紙幣カセット５０に紙幣がある場合にはアクセスフラグ「０」を設定する。
【００５６】
そして、紙幣カセット５０にアクセスフラグ「１」が設定された場合（Ｓ３３０）、紙幣カセット５０へのアクセスが検知されない間、アクセスフラグ「１」が維持される（Ｓ３４０）。一方、紙幣カセット５０へのアクセスが検知されると、Ｓ３１０からの処理が繰り返される（Ｓ３４０／ｙｅｓ）。
【００５７】
ここで、紙幣カセット５０は金庫などの筐体に覆われており、金庫には鍵がかけられる。上記の紙幣カセット５０へのアクセスは、当該鍵の解錠であってもよいし、紙幣カセット５０に関連する内部機構が引き出されたことであってもよいし、資金装填された新たな紙幣カセットへの交換のために紙幣カセット５０が引き出されたことであってもよい。紙幣カセット５０にアクセスがあった場合、紙幣カセット５０が交換された可能性、または紙幣カセット５０内の紙幣が入れ替えられた可能性があり、制御部２８０は、紙幣カセット５０にどのような紙幣が収納されているかを判断することが困難である。このため、紙幣カセット５０へのアクセスがあった場合、制御部２８０は、Ｓ３１０に戻り、紙幣カセット５０における紙幣の有無を確認する。なお、制御部２８０は、紙幣カセット５０へのアクセスがあった場合、Ｓ３１０に戻る前に、アクセスフラグを「０」に変更してもよい。
【００５８】
なお、鍵の解錠または内部機構の引出しを検知可能であるが、各紙幣カセット５０の引出しの検知機能を有さない自動取引装置２０においては、鍵の解錠または内部機構の引出しが検知された場合に、いずれの紙幣カセット５０についての操作が行われたかを特定できない。このため、鍵の解錠または内部機構の引出しを検知可能であるが、各紙幣カセット５０の引出しの検知機能を有さない自動取引装置２０においては、鍵の解錠または内部機構の引出しが検知された場合、全ての紙幣カセット５０のアクセスフラグが「０」に設定されてもよい。一方、各紙幣カセット５０の引出しの検知機能を有する自動取引装置２０においては、引出しが検知された紙幣カセット５０のアクセスフラグのみが「０」に設定されてもよい。
【００５９】
＜２．自動取引装置の動作＞
以上、本発明の実施形態による自動取引装置２０の構成を説明した。続いて、本発明の実施形態による自動取引装置２０の動作を説明する。本発明の実施形態による自動取引装置２０の動作の要旨は、高レベル基準での認識において正常であると認識された紙幣を紙幣カセット５０から出金または回収する場合には、低レベル基準での認識を行うことにより、紙幣の運用効率を向上することである。高レベル基準は、低レベル基準よりも紙幣が正常であると認識され難い判定基準である。すなわち、高レベル基準は、低レベル基準よりも厳しい判定基準である。
【００６０】
（入金、補充処理）
まず、図５を参照して、入金処理および補充処理の動作を説明する。図５は、入金処理および補充処理の動作を示すフローチャートである。
【００６１】
図５に示したように、紙幣認識部４２は、入金処理および補充処理において、紙幣を認識するための判定基準として、高レベル判定基準を適用する（Ｓ４０４）。そして、接客部４０に集積された紙幣が紙幣認識部４２に搬送されると（Ｓ４０８）、紙幣認識部４２が高レベル基準で紙幣の認識を行う（Ｓ４１２）。
【００６２】
そして、正常であると認識された紙幣は一時保留部４４に搬送され（Ｓ４２４）、正常でないと判定された紙幣はリジェクト部４８に搬送される（Ｓ４２０）。接客部４０から紙幣が無くなるまでＳ４０８〜Ｓ４２４の処理が繰り返され（Ｓ４２８）、接客部４０に集積された紙幣の搬送が終了すると、自動取引装置２０は、一時保留部４４の紙幣を紙幣カセット５０に搬送する（Ｓ４２８）。なお、正常でないと判定された紙幣は接客部４０に戻されてもよいし、正常であると認識された紙幣は一時保留部４４を介さずに紙幣カセット５０に搬送されてもよい。
【００６３】
このように、入金処理および補充処理においては、紙幣を認識するための判定基準として高レベル基準が適用される。このため、入金処理および補充処理において紙幣カセット５０に新たに収納される紙幣は、高レベル基準で正常であると認識された紙幣である。
【００６４】
ここで、図４を参照して説明したように、運用開始時には紙幣のない紙幣カセット５０にアクセスフラグ「１」が設定される。このように紙幣のない紙幣カセット５０には、入金処理および補充処理において、高レベル基準で正常であると認識された紙幣のみが収納されることになる。このため、当該紙幣カセット５０のアクセスフラグは「１」に維持される。その後の入金処理および補充処理でさらなる紙幣が当該紙幣カセット５０に収納されても、やはり当該紙幣カセット５０に収納される紙幣は全て高レベル基準で正常であると認識された紙幣であるので、当該紙幣カセット５０のアクセスフラグは「１」に維持される。
【００６５】
アクセスフラグ「０」が設定されている紙幣カセット５０にも、入金処理および補充処理において、高レベル基準で正常であると認識された紙幣が新たに収納される。しかし、新たな紙幣の収納前の状態において、当該紙幣カセット５０に品質の不確かな紙幣が含まれている可能性がある以上、高レベル基準で正常であると認識された紙幣が新たに収納されても、当該紙幣カセット５０に品質の不確かな紙幣が含まれている可能性があることに変わりはない。このため、当該紙幣カセット５０のアクセスフラグは「０」に維持される。
【００６６】
要すると、入金処理および補充処理では、高レベル基準で正常であると認識された紙幣が各紙幣カセット５０に新たに収納される。また、アクセスフラグの変更のトリガは図４に示した通りであり、入金処理および補充処理では各紙幣カセット５０のアクセスフラグは変更されない。
【００６７】
（出金処理）
次に、図６を参照して出金処理の動作を説明する。図６は、出金処理の動作を示すフローチャートである。
【００６８】
図６に示したように、まず顧客により出金金額、または金種別出金枚数が指定されると（Ｓ５０４）、紙幣カセット５０から紙幣認識部４２への紙幣の搬送が開始される（Ｓ５０８）。そして、紙幣認識部４２は、紙幣認識部４２に搬送された紙幣の搬送元の紙幣カセット５０に設定されているアクセスフラグを確認する（Ｓ５１２）。
【００６９】
アクセスフラグが「０」であれば、紙幣認識部４２は、判定基準として高レベル基準を適用し（Ｓ５２０）、高レベル基準での紙幣の認識を行う（Ｓ５２４）。一方、アクセスフラグが「１」であれば、紙幣認識部４２は、判定基準として低レベル基準を適用し（Ｓ５２８）、低レベル基準での紙幣の認識を行う（Ｓ５３２）。
【００７０】
そして、Ｓ５２４またはＳ５２８において正常であると認識された紙幣は接客部４０に搬送され（Ｓ５３６／ｙｅｓ、Ｓ５４０）、Ｓ５２４またはＳ５２８において正常でないと認識された紙幣はリジェクト部４８に搬送される（Ｓ５３６／ｎｏ、Ｓ５４４）。その後、上述したＳ５０８〜Ｓ５４４の処理が、Ｓ５０４において指定された出金金額または金種別出金枚数に相当する紙幣が接客部４０に搬送されるまで繰り返される（Ｓ５４８）。
【００７１】
ここで、アクセスフラグが「１」である紙幣カセット５０は、入金処理または補充処理により紙幣認識部４２により高レベル基準で正常であると認識された紙幣のみを収納している。このため、Ｓ５２８において、アクセスフラグが「１」である紙幣カセット５０から搬送された紙幣の認識に低レベル基準が適用されることは、紙幣認識部４２により高レベル基準で一度正常であると認識された紙幣の認識に低レベル基準が適用されることを意味する。低レベル基準での認識によれば紙幣が正常でないと認識されてしまう割合が低減されるので、アクセスフラグが「１」である紙幣カセット５０から出金が行われる際の紙幣の運用効率を向上することが可能である。
【００７２】
一方、紙幣認識部４２による高レベル基準での認識が行われていない紙幣を含む可能性がある紙幣カセット５０から出金が行われる場合には、Ｓ５２０に示したように認識のための判定基準として高レベル基準が適用される。このため、損券または偽装券などのリジェクトをより確実に行うことが可能である。
【００７３】
（回収処理）
次に、図７を参照して回収処理の動作を説明する。回収処理は、自動取引装置２０内の一部または全ての紙幣を接客部４０に紙幣認識部４２を介して搬送する処理である。
【００７４】
図７は、回収処理の動作を示すフローチャートである。図７に示したように、オペレータにより回収対象（一部または全部）が指定されると（Ｓ６０４）、紙幣カセット５０から紙幣認識部４２への紙幣の搬送が開始される（Ｓ６０８）。そして、紙幣認識部４２は、紙幣認識部４２に搬送された紙幣の搬送元の紙幣カセット５０に設定されているアクセスフラグを確認する（Ｓ６１２）。
【００７５】
アクセスフラグが「０」であれば、紙幣認識部４２は、判定基準として高レベル基準を適用し（Ｓ６２０）、高レベル基準での紙幣の認識を行う（Ｓ６２４）。一方、アクセスフラグが「１」であれば、紙幣認識部４２は、判定基準として低レベル基準を適用し（Ｓ６２８）、低レベル基準での紙幣の認識を行う（Ｓ６３２）。
【００７６】
そして、Ｓ６２４またはＳ６２８において正常であると認識された紙幣は接客部４０に搬送され（Ｓ６３６／ｙｅｓ、Ｓ６４０）、Ｓ６２４またはＳ６２８において正常でないと認識された紙幣はリジェクト部４８に搬送される（Ｓ６３６／ｎｏ、Ｓ６４４）。その後、上述したＳ６０８〜Ｓ６４４の処理が、Ｓ６０４において指定された回収対象の全ての紙幣が接客部４０に搬送されるまで繰り返される（Ｓ６４８）。
【００７７】
ここで、アクセスフラグが「１」である紙幣カセット５０は、入金処理または補充処理により紙幣認識部４２により高レベル基準で正常であると認識された紙幣のみを収納している。このため、Ｓ６２８において、アクセスフラグが「１」である紙幣カセット５０から搬送された紙幣の認識に低レベル基準が適用されることは、紙幣認識部４２により高レベル基準で一度正常であると認識された紙幣の認識に低レベル基準が適用されることを意味する。低レベル基準での認識によれば紙幣が正常でないと認識されてしまう割合が低減されるので、アクセスフラグが「１」である紙幣カセット５０から回収が行われる際の紙幣の運用効率を向上することが可能である。
【００７８】
一方、紙幣認識部４２による高レベル基準での認識が行われていない紙幣を含む可能性がある紙幣カセット５０から回収が行われる場合には、Ｓ６２０に示したように認識のための判定基準として高レベル基準が適用される。このため、損券または偽装券などのリジェクトをより確実に行うことが可能である。
【００７９】
なお、金融機関での当該自動取引装置２０の利用においては、回収処理により回収された紙幣はオペレータによっても確認されることが一般的である。このため、アクセスフラグが「１」である紙幣カセット５０から搬送された紙幣の認識には、低レベル基準よりもさらに甘い判定基準、例えば、正常な紙幣を誤ってリジェクトしてしまう確率がほぼ０になるような判定基準が適用されてもよい。かかる構成によれば、アクセスフラグが「１」である紙幣カセット５０からの紙幣の回収における紙幣の運用効率を大幅に向上することが可能である。
【００８０】
＜３．むすび＞
以上説明したように、本発明の実施形態によれば、以下のケースにおいて低レベル判定基準を適用することにより、紙幣の運用効率を向上することができる。
（１）紙幣をリサイクル（入金された紙幣を出金に用いること）する自動取引装置２０において、自動取引装置２０の運用を、各紙幣カセット５０に紙幣が無い状態で開始するケース。このケースでは、顧客が紙幣を入金した後に出金を行うことが可能となる。
（２）通常の運用時には、紙幣カセット５０が設けられる金庫は開けられず、紙幣の補充および回収は接客部４０を介して行われるケース。すなわち、紙幣カセット５０への直接の紙幣装填、および紙幣カセット５０からの直接の紙幣回収が行われないケース。
【００８１】
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８２】
例えば、本明細書の自動取引装置２０の処理における各ステップは、必ずしもフローチャートとして記載された順序に沿って時系列に処理する必要はない。例えば、自動取引装置２０の処理における各ステップは、フローチャートとして記載した順序と異なる順序で処理されても、並列的に処理されてもよい。
【００８３】
また、自動取引装置２０に内蔵されるＣＰＵ、ＲＯＭおよびＲＡＭなどのハードウェアに、上述した自動取引装置２０の各構成と同等の機能を発揮させるためのコンピュータプログラムも作成可能である。また、該コンピュータプログラムを記憶させた記憶媒体も提供される。
【符号の説明】
【００８４】
１  自動取引システム
１０  金融機関ホスト
１２  専用網
２０  自動取引装置
２２  操作表示部
２４  通帳挿入口
２５  スピーカ
２６  カード挿入排出口
２７  レシート排出口
２８  紙幣口
２９  硬貨口
４０  接客部
４２  紙幣認識部
４４  一時保留部
４６  搬送路
４８  リジェクト部
５０  紙幣カセット
２１０  インタフェース部
２２０  カード読取部
２３０  紙幣入出金部
２４０  硬貨入出金部
２５０  通帳記帳部
２６０  レシート印字部
２７０  記憶部
２８０  制御部
【図１】
2018092537.tif 000003
【図２】
2018092537.tif 000004
【図３】
2018092537.tif 000005
【図４】
2018092537.tif 000006
【図５】
2018092537.tif 000007
【図６】
2018092537.tif 000008
【図７】
2018092537.tif 000009